(57)【特許請求の範囲】
【請求項１】
近距離無線通信網を介して情報を送受信する移動通信端末および終端端末のＣＰＮＳサービスの利用の履歴を含む履歴情報を寄せ集めて記憶し、移動通信端末および終端端末との間のＣＰＮＳサービスの利用中に、既記憶の履歴情報が要請される場合に、当該履歴情報を取り出して移動通信端末および終端端末に提供するＣＰＮＳサーバーと、
ＣＰＮＳサービスの利用中に、前記ＣＰＮＳサーバーから送信される履歴情報を用いてＣＰＮＳサービス関連手順を行う移動通信端末と、
ＣＰＮＳサービスの利用中に、前記移動通信端末を経て送信される履歴情報を用いてＣＰＮＳサービス関連手順を行う終端端末と、
を備える、ＣＰＮＳ環境における端末の履歴情報管理・活用システム。
【請求項２】
前記移動通信端末の履歴情報は、
前記移動通信端末のＩＤ、接続された終端端末のＩＤ、提供されたコンテンツ、課金情報、終端端末の仕様情報およびこれらの組合せのうちの少なくとも１以上を含み、
前記移動通信端末のＩＤは、ＭＩＮ番号、ＭＤＮ番号、ＩＭＥＩ番号、サブ スクリプション番号およびこれらの組合せのいずれか１種であることを特徴とする請求項１に記載のＣＰＮＳ環境における端末の履歴情報管理・活用システム。
【請求項３】
移動通信端末および終端端末との間に履歴情報が登録されている場合に、
前記移動通信端末は、
既記憶の終端端末の仕様情報を用いてコンテンツを要請する、前記終端端末が以前に提供されていたコンテンツを受け継ぐ、または、予め記憶された課金情報を用いて課金関連セットアップ手順を省略することを特徴とする請求項２に記載のＣＰＮＳ環境における端末の履歴情報管理・活用システム。
【請求項４】
前記履歴情報は、
終端端末の履歴情報である場合に、
前記終端端末のＩＤ、前記終端端末と接続された移動通信端末のＩＤ、提供されたコンテンツ、課金情報、サービス関連情報およびこれらの組合せのうちの少なくとも１以上を含み、
前記サービス関連情報は、料金制、転送率およびこれらの組合せのうちの少なくとも１以上を含むことを特徴とする請求項１に記載のＣＰＮＳ環境における端末の履歴情報管理・活用システム。
【請求項５】
移動通信端末および終端端末との間に履歴情報が登録されている場合に、
前記終端端末は、
既記憶の料金制および転送率を用いてコンテンツを要請する、前記終端端末が以前に提供されていたコンテンツを受け継ぐ、予め記憶された課金情報を用いて課金関連セットアップ手順を省略する、または、以前に接続された移動通信端末のうち前記終端端末が指定する移動通信端末に対して課金が行われるように設定することを特徴とする請求項４に記載のＣＰＮＳ環境における端末の履歴情報管理・活用システム。
【請求項６】
移動通信網を介して通信を行うための通信インタフェース部と、
近距離無線通信網を介して情報を送受信する移動通信端末および終端端末の履歴情報を寄せ集めて記憶する履歴登録・管理部と、
移動通信端末と終端端末との間のＣＰＮＳサービスのうち既記憶のＣＰＮＳサービスの利用の履歴を含む履歴情報が要請される場合に、求められた履歴情報を取り出して移動通信端末および終端端末に提供する履歴情報提供部と、
移動通信端末から送信されるコンテンツ要請に応じて、コンテンツを提供する当該サーバーからコンテンツを要請・受信して提供するコンテンツ要請・提供部と、
ＣＰＮＳサービス利用に伴う課金を行う課金処理部と、
移動通信端末および終端端末それぞれの履歴情報を記憶するデータベースと、
を備える、ＣＰＮＳサーバー。
【請求項７】
近距離無線通信網を介して終端端末と通信を行う移動通信端末の情報をデータベースに登録して管理する移動通信端末情報管理部
をさらに備えることを特徴とする請求項６に記載のＣＰＮＳサーバー。
【請求項８】
近距離無線通信網を介して移動通信端末と情報を送受信する終端端末の情報をデータベースに登録・管理する終端端末情報管理部
をさらに備えることを特徴とする請求項６または７に記載のＣＰＮＳサーバー。
【請求項９】
ＣＰＮＳサーバー、移動通信端末および終端端末を備えるシステムにおいて履歴情報を管理・活用する方法であって、
ａ）移動通信端末と終端端末とが接続されることにより、ＣＰＮＳサーバーが近距離無線通信網を介して情報を送受信する移動通信端末および終端端末のＣＰＮＳサービスの利用の履歴を含む履歴情報を寄せ集めて記憶するステップと、
ｂ）ＣＰＮＳサーバーが、移動通信端末から送信される要請が履歴情報に関連している場合に、移動通信端末および終端端末に関する履歴情報をそれぞれ取り出して提供するステップと、
ｃ）移動通信端末および終端端末が、ＣＰＮＳサービスの利用中に、前記ＣＰＮＳサーバーから送信される履歴情報を用いてＣＰＮＳサービス関連手順を行うステップと、
を含む、ＣＰＮＳ環境における端末の履歴情報管理・活用方法。
【請求項１０】
前記履歴情報が移動通信端末の履歴情報である場合に、自分のＩＤ、接続された終端端末のＩＤ、提供されたコンテンツ、課金情報、終端端末の仕様情報およびこれらの組合せのうちの少なくとも１以上を含み、
前記ステップｃ）において、前記移動通信端末は、
既記憶の終端端末の仕様情報を用いて当該コンテンツを要請する、以前に提供されていたコンテンツを受け継ぐ、または、予め記憶された課金情報を用いて課金関連セットアップ手順を省略することを特徴とする請求項９に記載のＣＰＮＳ環境における端末の履歴情報管理・活用方法。
【請求項１１】
前記履歴情報が終端端末の履歴情報である場合に、
自分のＩＤ、接続された移動通信端末のＩＤ、提供されたコンテンツ、課金情報、サービス関連情報およびこれらの組合せのうちの少なくとも１以上を含み、前記サービス関連情報は、料金制、転送率およびこれらの組合せのうちの少なくとも１以上を含み、
前記ステップｃ）において、前記終端端末は、
既記憶の料金制および転送率を用いてコンテンツを要請する、以前に提供されていたコンテンツを受け継ぐ、予め記憶された課金情報を用いて課金関連セットアップ手順を省略する、または、以前に接続された移動通信端末のうち自分が指定する移動通信端末に対して課金が行われるように設定することを特徴とする請求項９に記載のＣＰＮＳ環境における端末の履歴情報管理・活用方法。
【請求項１２】
ＣＰＮＳサーバーにおいて履歴情報を管理・活用する方法であって、
ａ）移動通信端末と終端端末とが接続されることにより、ＣＰＮＳサーバーが近距離無線通信網を介して情報を送受信する移動通信端末および終端端末のＣＰＮＳサービスの利用の履歴を含む履歴情報を寄せ集めて記憶するステップと、
ｂ）ＣＰＮＳサーバーが、移動通信端末から送信される特定の要請が履歴情報に関連している場合に、移動通信端末および終端端末に関する履歴情報をそれぞれ取り出して提供するステップと、
を含む、ＣＰＮＳ環境における端末の履歴情報管理・活用方法。
【請求項１３】
ＣＰＮＳサーバーと移動通信網を介して接続され、終端端末と近距離無線通信網を介して接続される移動通信端末においてＣＰＮＳサービスの利用の履歴を含む履歴情報を活用するための方法であって、
ａ）移動通信端末が近距離無線通信網を介して終端端末と接続されれば、その旨を前記ＣＰＮＳサーバーに報知するステップと、
ｂ）前記ＣＰＮＳサーバーに特定のサービスを要請して、前記ＣＰＮＳサーバーから前記特定のサービスに関連する履歴情報を受信するステップと、
ｃ）移動通信端末がＣＰＮＳサービスの利用中に、前記ＣＰＮＳサーバーから送信される履歴情報を用いてＣＰＮＳサービス関連手順を行うステップと、
を含む、ＣＰＮＳ環境における端末の履歴情報管理・活用方法。
【請求項１４】
移動通信端末と近距離無線通信網を介して接続された終端端末がＣＰＮＳサービスの利用の履歴を含む履歴情報を活用するための方法であって、
ａ）終端端末が近距離無線通信を介して移動通信端末を経てＣＰＮＳサーバーに特定のサービスを要請するステップと、
ｂ）前記移動通信端末を経て前記ＣＰＮＳサーバーから前記特定のサービスに関連する履歴情報を受信するステップと、
ｃ）終端端末が、ＣＰＮＳサービスの利用中に、前記履歴情報を用いてＣＰＮＳサービス関連手順を行うステップと、
を含む、ＣＰＮＳ環境における端末の履歴情報管理・活用方法。
【発明の詳細な説明】
【技術分野】
【０００１】
本発明は、ＣＰＮＳ環境における端末の履歴情報管理・活用システムおよび方法と、このためのＣＰＮＳサーバー、移動通信端末および終端端末に係り、さらに詳しくは、移動通信端末および終端端末それぞれに関する履歴情報を管理して、ＣＰＮＳサービスの利用に際してこれを活用できるようにするためのＣＰＮＳ環境における端末の履歴情報管理・活用システムおよび方法と、このためのＣＰＮＳサーバー、移動通信端末および終端端末に関する。
【背景技術】
【０００２】
最近の情報通信技術の発展には目を見張るものがあり、これに伴い、文書、イメージおよび動画などを再生可能なＭＰ３（ＭＰＥＧオーディオレイヤー）プレーヤー、パーソナルマルチメディアプレーヤー（ＰＭＰ：Ｐｅｒｓｏｎａｌ Ｍｕｌｔｉｍｅｄｉａ Ｐｌａｙｅｒ）、ウルトラモバイルパソコン（ＵＭＰＣ：Ｕｌｔｒａ Ｍｏｂｉｌｅ Ｐｅｒｓｏｎａｌ Ｃｏｍｐｕｔｅｒ）などの様々なコンテンツ再生装置が用いられている。
【０００３】
この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００４】
上述した不都合を解消するために、終端端末にブルートゥース（登録商標）、ウルトラワイドバンド（ＵＷＢ：Ｕｌｔｒａ Ｗｉｄｅ Ｂａｎｄ）などの近距離無線通信網に接続可能な通信手段を付加する技術が提案されている。
【０００５】
同技術によれば、近距離通信網を介して外部装置からコンテンツをダウンロードすることができる。しかしながら、この方法は、外部装置に記憶されているコンテンツのダウンロードは可能であるとはいえ、ユーザーが所望するものの、外部装置に記憶されてはいないコンテンツのダウンロードは行えないという不都合が存在する。
【０００６】
また、たとえ近距離無線通信を利用しても、既存の移動通信を用いて移動通信端末がサービスプロバイダーや移動通信社から提供されていたコンテンツまたはサービスを直接的に提供されることはできない。
【発明の概要】
【発明が解決しようとする課題】
【０００７】
本発明は上述した不都合を解消するためになされたものであり、その目的は、近距離無線通信を用いてＰＭＰなどの終端端末を移動通信端末に接続し、移動通信端末の移動通信機能を用いて既存のコンテンツサービスプロバイダーに接近する形で所望のサービスの提供を受けるためのＣＰＮＳ技術を提供することである。
【０００８】
一方、ＣＰＮＳ環境において、移動通信端末と終端端末との間の近距離無線通信を行うことで、終端端末がデータサービスの提供を受けるためには、ＩＤフォーマットの確認・認証手順をはじめとする初期設定過程を経ることを余儀なくされるが、たとえこれまで移動通信端末と終端端末とが数回接続された履歴があったとしても、このような手順を行わなければならない場合が発生する。
【０００９】
本発明は上述した不都合を解消するためになされたものであり、その目的は、ＣＰＮＳ環境において、移動通信端末と終端端末とが近距離無線通信網を介して接続されてＣＰＮＳサービスが提供されるときに発生する接続情報をはじめとする関連情報を体系的に管理して、今後ＣＰＮＳサービスが提供されるために経るべき手順を一層単純化させるためのＣＰＮＳ環境における端末の履歴情報管理・活用システムおよび方法と、このためのＣＰＮＳサーバーを提供することである。
ここで、「接続情報」とは移動通信端末と終端端末とが近距離無線通信網を介して接続されてＣＰＮＳサービスが提供されるときに発生する接続情報のことである。
【００１０】
さらに、本発明の目的は、移動通信端末と終端端末との間の接続情報およびサービス情報を含む履歴情報を用いて、ＣＰＮＳサービス手順を一層容易に行わせるための移動通信端末および終端端末を提供することである。
【課題を解決するための手段】
【００１１】
上述した目的を達成するための本発明のＣＰＮＳ環境における端末の履歴情報管理・活用システムは、近距離無線通信網を介して情報を送受信する移動通信端末および終端端末の接続情報および履歴情報を寄せ集めて記憶し、移動通信端末および終端端末との間のＣＰＮＳサービスの利用中に、既記憶の履歴情報が要請される場合に、当該履歴情報を取り出して移動通信端末および終端端末に提供するＣＰＮＳサーバーと、ＣＰＮＳサービスの利用中に、前記ＣＰＮＳサーバーから送信される履歴情報を用いてＣＰＮＳサービス関連手順を行う移動通信端末と、ＣＰＮＳサービスの利用中に、前記移動通信端末を経て送信される履歴情報を用いてＣＰＮＳサービス関連手順を行う終端端末と、を備える。
ここで、「ＣＰＮＳサービス関連手順」とは、ＣＰＮＳサービスをユーザに提供するために必要な処理手順のことである。
【００１２】
前記ＣＰＮＳ環境における端末の履歴情報管理・活用システムにおいて、前記移動通信端末の履歴情報は、前記移動通信端末のＩＤ、接続された終端端末のＩＤ、提供されたサービス、課金情報、終端端末の仕様情報およびこれらの組合せのうちの少なくとも１以上を含むことが好ましい。
【００１３】
前記ＣＰＮＳ環境における端末の履歴情報管理・活用システムにおいて、移動通信端末および終端端末との間に履歴情報が登録されている場合に、前記移動通信端末は、既記憶の終端端末の仕様情報を用いてコンテンツを要請する、前記終端端末が以前に提供されていたサービスを受け継ぐ、または、課金関連セットアップ手順を省略することが好ましい。
【００１４】
前記ＣＰＮＳ環境における端末の履歴情報管理・活用システムにおいて、前記履歴情報は、終端端末の履歴情報である場合に、前記終端端末のＩＤ、前記終端端末と接続された移動通信端末のＩＤ、提供されたサービス、課金情報、サービス関連情報およびこれらの組合せのうちの少なくとも１以上を含み、前記サービス関連情報は、料金制、転送率およびこれらの組合せのうちの少なくとも１以上を含むことが好ましい。
【００１５】
前記ＣＰＮＳ環境における端末の履歴情報管理・活用システムにおいて、移動通信端末および終端端末との間に履歴情報が登録されている場合に、前記終端端末は、既記憶の料金制および転送率を用いてサービスを要請する、前記終端端末が以前に提供されていたサービスを受け継ぐ、課金関連セットアップ手順を省略する、または、以前に接続された移動通信端末のうち前記終端端末が指定する移動通信端末に対して課金が行われるように設定することが好ましい。
【００１６】
上述した目的を達成するための本発明のＣＰＮＳサーバーは、移動通信網を介して通信を行うための通信インタフェース部と、近距離無線通信網を介して情報を送受信する移動通信端末および終端端末の接続情報および履歴情報を寄せ集めて記憶する履歴登録・管理部と、移動通信端末と終端端末との間のＣＰＮＳサービスのうち既記憶の履歴情報が要請される場合に、求められた履歴情報を取り出して移動通信端末および終端端末に提供する履歴情報提供部と、移動通信端末から送信されるコンテンツ要請に応じて、コンテンツを提供する当該サーバーからコンテンツを要請・受信して提供するコンテンツ要請・提供部と、ＣＰＮＳサービス利用に伴う課金を行う課金処理部と、移動通信端末および終端端末それぞれの履歴情報およびＣＰＮＳサーバーに関連する情報を記憶するデータベースと、を備える。
【００１７】
前記ＣＰＮＳサーバーは、近距離無線通信網を介して終端端末と通信を行う移動通信端末の情報をデータベースに登録して管理する移動通信端末情報管理部をさらに備えることが好ましい。
【００１８】
前記ＣＰＮＳサーバーは、近距離無線通信網を介して移動通信端末と情報を送受信する終端端末の情報をデータベースに登録・管理する終端端末情報管理部をさらに備えることが好ましい。
【００１９】
上述した目的を達成するための本発明の移動通信端末は、ＣＰＮＳサーバーと移動通信網を介して接続され、終端端末と近距離無線通信を介して接続されて、ＣＰＮＳサービスの利用時に履歴情報を参照するための移動通信端末であって、近距離無線通信網または移動通信網との無線通信を行うための無線通信部と、前記終端端末および前記移動通信端末のＩＤおよび認証情報を前記ＣＰＮＳサーバーに送信する接続報知部と、前記ＣＰＮＳサーバーから送信される履歴情報を参照して、前記ＣＰＮＳサービスに関連する情報を前記ＣＰＮＳサーバーに要請するサービス処理部と、前記ＣＰＮＳサーバーから移動通信端末の要請と整合する履歴情報を受信して画面上に出力する履歴情報受信・提供部と、前記移動通信端末または前記終端端末の課金情報を前記ＣＰＮＳサーバーに送信する課金情報提供部と、を備える。
【００２０】
上述した目的を達成するための本発明の終端端末は、移動通信端末と近距離無線通信網を介して接続され、履歴情報を参照してＣＰＮＳサービスの提供を受けるための終端端末であって、近距離無線通信網を介して通信を行うための通信インタフェース部と、ＣＰＮＳサーバーから送信される履歴情報を用いて、ＣＰＮＳサービスに関連するサービスを移動通信端末を経てＣＰＮＳサーバーに要請するサービス要請部と、前記ＣＰＮＳサーバーから送信されて移動通信端末を経て転送される履歴情報を受信すれば、これを画面上に出力する履歴情報受信・提供部と、ＣＰＮＳサービスの利用に伴う課金情報を前記移動通信端末に送信する課金情報提供部と、を備える。
【００２１】
上述した目的を達成するための本発明のＣＰＮＳ環境における端末の履歴情報管理・活用方法は、ＣＰＮＳサーバー、移動通信端末および終端端末を備えるシステムにおいて履歴情報を管理・活用する方法であって、ａ）移動通信端末と終端端末とが接続されることにより、ＣＰＮＳサーバーが近距離無線通信網を介して情報を送受信する移動通信端末および終端端末の接続情報および履歴情報を寄せ集めて記憶するステップと、ｂ）ＣＰＮＳサーバーが、移動通信端末から送信される要請が履歴情報に関連している場合に、移動通信端末および終端端末に関する履歴情報をそれぞれ取り出して提供するステップと、ｃ）移動通信端末および終端端末が、ＣＰＮＳサービスの利用中に、前記ＣＰＮＳサーバーから送信される履歴情報を用いてＣＰＮＳサービス関連手順を行うステップと、を含む。
【００２２】
前記ＣＰＮＳ環境における端末の履歴情報管理・活用方法は、前記履歴情報が移動通信端末の履歴情報である場合に、自分のＩＤ、接続された終端端末のＩＤ、提供されたサービス、課金情報、終端端末の仕様情報およびこれらの組合せのうちの少なくとも１以上を含み、前記ステップｃ）において、前記移動通信端末は、既記憶の終端端末の仕様情報を用いて当該コンテンツを要請する、以前に提供されていたサービスを受け継ぐ、または、課金関連セットアップ手順を省略することが好ましい。
【００２３】
前記ＣＰＮＳ環境における端末の履歴情報管理・活用方法は、前記履歴情報が終端端末の履歴情報である場合に、自分のＩＤ、接続された移動通信端末のＩＤ、提供されたサービス、課金情報、サービス関連情報およびこれらの組合せのうちの少なくとも１以上を含み、前記サービス関連情報は、料金制、転送率およびこれらの組合せのうちの少なくとも１以上を含み、前記ステップｃ）において、前記終端端末は、既記憶の料金制および転送率を用いてサービスを要請する、以前に提供されていたサービスを受け継ぐ、課金関連セットアップ手順を省略する、または、以前に接続された移動通信端末のうち自分が指定する移動通信端末に対して課金が行われるように設定することが好ましい。
【００２４】
上述した目的を達成するための本発明のＣＰＮＳ環境における端末の履歴情報管理・活用方法は、ＣＰＮＳサーバーにおいて履歴情報を管理・活用する方法であって、ａ）移動通信端末と終端端末とが接続されることにより、ＣＰＮＳサーバーが近距離無線通信網を介して情報を送受信する移動通信端末および終端端末の接続情報および履歴情報を寄せ集めて記憶するステップと、ｂ）ＣＰＮＳサーバーが、移動通信端末から送信される特定の要請が履歴情報に関連している場合に、移動通信端末および終端端末に関する履歴情報をそれぞれ取り出して提供するステップと、を含む。
【００２５】
上述した目的を達成するための本発明のＣＰＮＳ環境における端末の履歴情報管理・活用方法は、ＣＰＮＳサーバーと移動通信網を介して接続され、終端端末と近距離無線通信網を介して接続される移動通信端末において履歴情報を活用するための方法であって、ａ）移動通信端末が近距離無線通信網を介して終端端末と接続されれば、その旨を前記ＣＰＮＳサーバーに報知するステップと、ｂ）前記ＣＰＮＳサーバーに特定のサービスを要請して、前記ＣＰＮＳサーバーから前記特定のサービスに関連する履歴情報を受信するステップと、ｃ）移動通信端末がＣＰＮＳサービスの利用中に、前記ＣＰＮＳサーバーから送信される履歴情報を用いてＣＰＮＳサービス関連手順を行うステップと、を含む。
【００２６】
上述した目的を達成するための本発明のＣＰＮＳ環境における端末の履歴情報管理・活用方法は、移動通信端末と近距離無線通信網を介して接続された終端端末が履歴情報を活用するための方法であって、ａ）終端端末が近距離無線通信を介して移動通信端末を経てＣＰＮＳサーバーに特定のサービスを要請するステップと、ｂ）前記移動通信端末を経て前記ＣＰＮＳサーバーから前記特定のサービスに関連する履歴情報を受信するステップと、ｃ）終端端末が、ＣＰＮＳサービスの利用中に、前記履歴情報を用いてＣＰＮＳサービス関連手順を行うステップと、を含む。
【発明の効果】
【００２７】
本発明のＣＰＮＳ環境における端末の履歴情報管理・活用システムおよび方法と、このためのＣＰＮＳサーバーは、ＣＰＮＳ環境において、移動通信端末と終端端末とが近距離無線通信網を介して接続されてＣＰＮＳサービスが提供されるときに発生する接続情報および関連情報を体系的に管理して移動通信端末および終端端末に提供することから、今後ＣＰＮＳサービスが提供されるために経るべき手順が一層簡単になるという効果を期待することができる。
【００２８】
また、本発明の移動通信端末および終端端末は、移動通信端末と終端端末との間の接続情報およびサービス情報を含む履歴情報を用いて、ＣＰＮＳサービス要請手順を一層容易に行うことができるというメリットがある。
【図面の簡単な説明】
【００２９】
【図１】本発明に係るシステムと通信網との接続関係を示す図であり、
【図２】本発明に係る移動通信端末の履歴情報テーブルの一例を示す図であり、
【図３】本発明に係る終端端末の履歴情報テーブルの一例を示す図であり、
【図４】本発明のＣＰＮＳサービスのための初期設定方法を説明するためのフローチャートであり、
【図５】本発明に係るＣＰＮＳサーバーの構成を示す図であり、
【図６】本発明に係る移動通信端末の構成を示す図であり、
【図７】本発明に係る終端端末の構成を示す図であり、
【図８】本発明に係る端末の履歴情報の管理・活用方法を説明するためのフローチャートである。
【００３０】
（符号の説明）
１００：ＣＰＮＳサーバー、
１１０、３１０：通信インタフェース部、
１２０：移動通信端末情報管理部、
１３０：終端端末情報管理部、
１４０：履歴登録・管理部、
１５０：履歴情報提供部、
１６０：コンテンツ要請・提供部、
１７０：課金処理部、
１８０：データベース、
２００：移動通信端末、
２１０：無線通信部 、
２２０、３２０：入力部、
２３０：出力部、
２４０、３４０：記憶部、
２５０：接続報知部、
２６０：サービス処理部、
２７０：履歴情報受信・提供部、
２８０：課金情報提供部、
３００：終端端末、
３３０：再生部、
３５０：サービス要請部、
３６０：履歴情報受信・提供部、
３７０：課金情報提供部、
【発明を実施するための形態】
【００３１】
本発明におけるコンバージェンスパーソナルネットワークサービス（ＣＰＮＳ：Ｃｏｎｖｅｒｇｅｄ Ｐｅｒｓｏｎａｌ Ｎｅｔｗｏｒｋ Ｓｅｒｖｉｃｅ）環境とは、近距離無線通信は行えるものの、移動通信網とのセルラー通信は行えない携帯用端末がパーソナルネットワーク（ＰＮ：Ｐｅｒｓｏｎａｌ  Ｎｅｔｗｏｒｋ）ゲートウェイの役割を果たす移動通信端末と近距離無線通信を行うことで、セルラー通信を通して提供可能なデータサービスを利用できるようにするものである。
【００３２】
以下、添付図面に基づき、本発明の好適な実施形態を詳述する。
まず、図１は、本発明に係るシステムと通信網との接続関係を示す図である。
同図に示すように、ＣＰＮＳ環境における端末の履歴情報管理・活用システムは、近距離無線通信網を介して情報を送受信する移動通信端末２００−ａ、２００−ｂ（以下、２００）、および終端端末３００−ａ、３００−ｂ（以下、３００）の接続情報および履歴情報を寄せ集めて記憶し、移動通信端末２００と終端端末３００との間のＣＰＮＳサービスの利用中に、既記憶の履歴情報が要請される場合に、当該情報を取り出して移動通信端末２００および終端端末３００に提供するＣＰＮＳサーバー１００と、ＣＰＮＳサービスの利用中に、ＣＰＮＳサーバー１００から送信される履歴情報を用いてＣＰＮＳサービス関連手順を行う移動通信端末２００と、ＣＰＮＳサービスの利用中に、ＣＰＮＳサーバー１００から送信されて移動通信端末２００を経て送られてくる履歴情報を用いてＣＰＮＳサービス関連手順を行う終端端末３００と、を備える。
【００３３】
ここで、履歴情報が移動通信端末２００の履歴情報である場合に、図２に示すように、自分（移動通信端末２００）のＩＤ、接続された終端端末３００のＩＤ、提供されたサービス、課金情報、終端端末３００の仕様情報およびこれらの組合せのうちの少なくとも１以上を含む。
【００３４】
例えば、図２に示すように、移動通信端末２００の履歴（ヒストリー）テーブルは、移動通信端末１がゲーム機１と接続されたときに、提供されたサービスはＧａｍｅ＃２、＃５などであり、このときの課金は＄１０であり、終端端末の仕様はＬＣＤ情報、コーデック情報を含む。
【００３５】
加えて、移動通信端末１はＰＭＰ１とも接続されており、提供されたサービス、課金情報、終端端末の仕様情報などの情報も含む。
すなわち、移動通信端末の履歴情報は、接続された複数の終端端末情報と接続されるタイミングでのサービス情報、課金情報、当該終端端末の仕様情報を含み、この後、移動通信端末２００が以前に接続されていた終端端末との接続を再開する場合に、ＣＰＮＳサービス手順を一層単純化させるために参照される。
もし、移動通信端末２００と終端端末３００との間に履歴情報が登録されている場合に、移動通信端末２００は既記憶の終端端末の仕様情報を用いて、当該コンテンツを要請する、以前に提供されていたサービスを受け継ぐ、または、課金関連セットアップ手順を省略する。
【００３６】
また、履歴情報が終端端末３００の履歴情報である場合に、自分（終端端末３００）のＩＤ、接続された移動通信端末２００のＩＤ、提供されたサービス、課金情報、サービス関連情報およびこれらの組合せのうちの少なくとも１以上を含み、サービス関連情報は、料金制、転送率およびこれらの組合せのうちの少なくとも１以上を含む。
例えば、図３に示すように、終端端末３００の履歴テーブルは、ゲーム機１（終端端末）が移動通信端末１に接続されたとき、提供されたサービスはＧａｍｅ＃１、＃５などであり、このときの課金は＄１４であり、料金制および転送率の情報を含む。
すなわち、終端端末の履歴情報は、接続された複数の移動通信端末情報と接続されるタイミングでのサービス情報、課金情報、料金制および転送率の情報を含み、この後、終端端末３００が以前に接続されていた移動通信端末との接続を再開する場合に、ＣＰＮＳサービス手順を一層単純化させるために参照される。
もし、移動通信端末と終端端末との間に履歴情報が登録されている場合に、終端端末３００は既記憶の料金制および転送率を用いてサービスを要請する、以前に提供されていたサービスを受け継ぐ、課金関連セットアップ手順を省略する、または、以前に接続された移動通信端末のうち自分が指定する移動通信端末に対して課金が行われるように設定する。
【００３７】
図１に示す終端端末３００とは、パーソナルマルチメディアプレーヤー（ＰＭＰ）、ＭＰ３プレーヤー、カーナビゲーション端末、携帯電話、ゲーム機など、近距離無線通信機能付き携帯用端末のことをいう。
一方、近距離無線通信網は、無線ＬＡＮ、ブルートゥース（登録商標）、ＵＷＢなどをはじめとして、近距離無線通信が行える通信網を網羅する。
【００３８】
図１に示すＣＰＮＳサーバー１００は、これまで接続履歴がまったくない終端端末または移動通信端末または終端端末と移動通信端末との間の接続を認知すれば、当該情報を履歴テーブルに登録する。
図１に示すＣＰＮＳサーバー１００、移動通信端末２００および終端端末３００は、ＣＰＮＳサービスのための初期設定過程を経るが、この詳細については後述する。
【００３９】
図４は、本発明に係るＣＰＮＳサービスのための初期設定方法を説明するためのフローチャートである。
まず、終端端末３００は、ＣＰＮＳサービスを利用するために、パーソナルネットワーク（ＰＮ：Ｐｅｒｓｏｎａｌ Ｎｅｔｗｏｒｋ）ゲートウェイデバイスの役割を果たす移動通信端末を検索する（Ｓ１０）。
次いで、終端端末３００は、ステップＳ１０において検索された移動通信端末２００にサービスを要請する。ここで、終端端末は、ＣＰＮＳ利用可能情報も一緒に送信する（Ｓ２０）。
この後、移動通信端末２００は、終端端末に送信されるサービス要請を受けると、終端端末のＣＰＮＳサービス利用可否をチェックする（Ｓ３０）。
ステップＳ３０におけるチェックの結果、終端端末がＣＰＮＳサービスを利用できると判断された場合に、移動通信端末２００は終端端末３００にＣＰＮＳサービスが利用可能である旨の認証メッセージを送信する（Ｓ４０）。
【００４０】
終端端末３００は、移動通信端末からＣＰＮＳサービスが利用可能である旨の認証メッセージを受信すれば、自分のＩＤを送信する（Ｓ５０）。
移動通信端末２００は、終端端末３００から送信されるＩＤのフォーマットがＣＰＮＳから発給したＩＤフォーマットと一致するか否かをチェックして、終端端末３００から送信されるＩＤのフォーマットがＣＰＮＳから発給したＩＤフォーマットと一致する場合に、終端端末３００にサービスが利用可能である旨の認証メッセージを送信する（Ｓ６０、Ｓ７０）。
この後、移動通信端末２００は、ＣＰＮＳサーバー１００に、自分および終端端末３００の認証情報およびＩＤを送信する（Ｓ８０）。
【００４１】
ＣＰＮＳサーバー１００は、移動通信端末から送信される認証情報およびＩＤをチェックして、ＣＰＮＳサービスの利用可否を判断する（Ｓ９０）。
もし、ステップ９０における判断の結果、移動通信端末および終端端末が両方ともサービス利用可能であると判断された場合に、ＣＰＮＳサーバー１００はこれを終端端末に報知し、今後コンテンツ要請をはじめとするＣＰＮＳサービスを利用するようにする（Ｓ１００）。
もし、ステップ９０における判断の結果、移動通信端末および終端端末のどちらか一方でもサービスが利用不可であると判断された場合に、ＣＰＮＳサーバー１００はその旨を終端端末に報知し、ＣＰＮＳサービスのための初期設定過程を終了する。
【００４２】
一方、ステップＳ３０におけるチェックの結果、終端端末のＣＰＮＳサービスが利用不可であると判断された場合に、移動通信端末２００は終端端末３００にサービスが利用不可である旨のメッセージを送信した後、ＣＰＮＳサービスのための初期設定過程を終了する。
他方、ステップＳ６０におけるチェックの結果、終端端末のＩＤフォーマットがＣＰＮＳから発給したＩＤフォーマットと一致しない場合に、移動通信端末２００はサービスが利用不可である旨のメッセージを終端端末に送信した後、ＣＰＮＳサービスのための初期設定過程を終了する。
【００４３】
図５は、本発明に係るＣＰＮＳサーバーの構成を示す図である。
同図に示すように、ＣＰＮＳサーバー１００は、通信インタフェース部１１０と、移動通信端末情報管理部１２０と、終端端末情報管理部１３０と、履歴登録・管理部１４０と、履歴情報提供部１５０と、コンテンツ要請・提供部１６０と、課金処理部１７０およびデータベース１８０を備える。
より具体的に、通信インタフェース部１１０は、移動通信網を介して通信を行うための構成要素である。
【００４４】
移動通信端末情報管理部１２０は、近距離無線通信網を介して終端端末３００と通信を行う移動通信端末２００の情報をデータベース１８０に登録して管理する。
終端端末情報管理部１３０は、近距離無線通信網を介して移動通信端末２００と情報を送受信する終端端末の情報をデータベース１８０に登録して管理する。
履歴登録・管理部１４０は、近距離無線通信網を介して情報を送受信する移動通信端末２００および終端端末３００の接続情報および履歴情報を寄せ集めて記憶する。
また、履歴登録・管理部１４０は、これまで接続履歴がまったくない終端端末または移動通信端末または終端端末と移動通信端末との間の接続を認知すれば、当該情報を登録する。
【００４５】
履歴情報提供部１５０は、移動通信端末２００と終端端末３００との間のＣＰＮＳサービスの利用中に、既記憶の履歴情報が要請される場合に、当該情報を取り出して移動通信端末２００および終端端末３００に提供する。
ここで、終端端末３００に提供される履歴情報は、ＣＰＮＳサーバーから送信されて移動通信端末を経て終端端末に転送される。
コンテンツ要請・提供部１６０は、移動通信端末２００からのコンテンツ要請に応じて、コンテンツを提供する当該サーバー（図示せず）にコンテンツの提供を要請し、当該サーバーから当該コンテンツを受信して移動通信端末２００に提供する。
課金処理部１７０は、ＣＰＮＳサービスの利用に伴う課金を行う。
ここで、課金処理部１７０の機能は、別途の課金処理サーバーが行うことも可能である。
データベース１８０は、移動通信端末２００および終端端末３００それぞれの履歴情報をはじめとして、ＣＰＮＳサーバーに関連する情報を記憶する。
【００４６】
図６は、本発明に係る移動通信端末の構成を示す図である。
同図に示すように、移動通信端末２００は、無線通信部２１０と、入力部２２０と、出力部２３０と、記憶部２４０と、接続報知部２５０と、サービス処理部２６０と、履歴情報受信・提供部２７０および課金情報提供部２８０を備える。
前記移動通信端末２００の近距離無線通信網または移動通信網との無線通信を行うための無線通信部２１０と、入力制御のための入力部２２０と、音声通話サービスやデータサービスの利用時に必要なデータを聴覚的または視覚的に提供するための出力部２３０と、各種のデータを記憶するための記憶部２４０は、移動通信端末の周知の構成であるため、その詳細な説明を省略する。
【００４７】
接続報知部２５０は、近距離無線通信網を介して終端端末３００と接続されれば、終端端末３００および自分のＩＤおよび認証情報をＣＰＮＳサーバー１００に送信して接続の旨を報知する。
サービス処理部２６０は、ＣＰＮＳサービスに関連する情報を要請する際に、ＣＰＮＳサーバー１００から送信される履歴情報を参照してＣＰＮＳサーバー１００に要請する。
履歴情報受信・提供部２７０は、ＣＰＮＳサーバー１００から移動通信端末の要請と整合する履歴情報を受信して、ユーザーが確認できるように出力部２３０を介して画面上に出力する。
課金情報提供部２８０は、ＣＰＮＳサービスの利用に伴う課金を行うために自分または終端端末の課金関連情報をＣＰＮＳサーバー１００に送信する。
【００４８】
図７は、本発明に係る終端端末の構成を示す図である。
同図に示すように、終端端末３００は、通信インタフェース部３１０と、入力部３２０と、再生部３３０と、記憶部３４０と、サービス要請部３５０と、履歴情報受信・提供部３６０と、課金情報提供部３７０と、を備える。
より具体的に、通信インタフェース部３１０は、近距離無線通信網と通信を行うための構成要素である。
入力部３２０には、ユーザーの選択に応じて、当該信号が入力される。
再生部３３０は、移動通信端末２００から送信されるコンテンツを実行する。
記憶部３４０は終端端末３００に関連する情報を記憶する。
サービス要請部３５０は、ＣＰＮＳサーバー１００から送信される自分の履歴情報を用いて、特定のコンテンツ要請をはじめとするＣＰＮＳサービスに関連するサービスを移動通信端末２００を経てＣＰＮＳサーバー１００に要請する。
履歴情報受信・提供部３６０は、ＣＰＮＳサーバー１００から送信されて移動通信端末２００を経て転送される自分の履歴情報を受信すれば、これをユーザーが確認できるように画面上に出力する。
課金情報提供部３７０は、ＣＰＮＳサービスの利用に伴う課金関連処理情報を移動通信端末２００に送信する。
【００４９】
図８は、本発明に係る端末の履歴情報の管理・活用方法を説明するためのフローチャートである。
まず、移動通信端末２００が近距離無線通信網を介して終端端末３００と接続されれば、この旨をＣＰＮＳサーバー１００に報知する。
移動通信端末と終端端末とが接続されれば、ＣＰＮＳサーバー１００は、近距離無通信網を介して情報を送受信する移動通信端末２００および終端端末３００の接続情報および履歴情報を寄せ集めて記憶する（Ｓ１０１、Ｓ１０３）。
次いで、ＣＰＮＳサーバー１００は、移動通信端末から送信される特定の要請が履歴情報に関連している場合に、移動通信端末および終端端末に関する履歴情報をそれぞれ取り出して提供する（Ｓ１０５〜Ｓ１０９）。
【００５０】
すなわち、ステップＳ１０９においては、移動通信端末２００がＣＰＮＳサーバー１００に特定のサービスを要請すれば、ＣＰＮＳサーバー１００から特定のサービスに関連する履歴情報を受信する。
ここで、特定のサービスの要請対象が終端端末である場合に、終端端末が近距離無線通信を介して移動通信端末に特定のサービスを要請すれば、移動通信端末がこれをＣＰＮＳサーバーに転送する。
この後、移動通信端末２００および終端端末３００は、ＣＰＮＳサービスの利用中にＣＰＮＳサーバー１００から送信される履歴情報を用いて、ＣＰＮＳサービス関連手順を行う（Ｓ１１１、Ｓ１１３）。
【００５１】
ここで、履歴情報が移動通信端末の履歴情報である場合に、自分（移動通信端末）のＩＤ（例えば、加入者識別番号（ＭＩＮ：Ｍｏｂｉｌｅ Ｉｄｅｎｔｉｆｉｃａｔｉｏｎ Ｎｕｍｂｅｒ）、携帯電話登録番号（ＭＤＮ：ｍｏｂｉｌｅ ｄｉｒｅｃｔｏｒｙ ｎｕｍｂｅｒ）、国際移動体装置識別番号（ＩＭＥＩ：Ｉｎｔｅｒｎａｔｉｏｎａｌ Ｍｏｂｉｌｅ Ｅｑｕｉｐｍｅｎｔ Ｉｄｅｎｔｉｔｙ）、移動通信社が管理するサブスクリプション番号、接続された終端端末のＩＤ、提供されたサービス、課金情報、終端端末の仕様情報およびこれらの組合せのうちの少なくとも１以上を含み、ステップＳ１１１において、移動通信端末２００は、既記憶の終端端末の仕様情報を用いて、当該コンテンツを要請する、以前に提供されていたサービスを受け継ぐ、または課金関連セットアップ手順を省略する。
【００５２】
もし、履歴情報が終端端末の履歴情報である場合に、自分（終端端末）のＩＤ、接続された移動通信端末のＩＤ、提供されたサービス、課金情報、サービス関連情報およびこれらの組合せのうちの少なくとも１以上を含み、前記サービス関連情報は、料金制、転送率およびこれらの組合せのうちの少なくとも１以上を含み、ステップＳ１１３において、終端端末３００は、既記憶の料金制および転送率を用いて、サービスを要請する、以前に提供されていたサービスを受け継ぐ、課金関連セットアップ手順を省略する、または、以前に接続された移動通信端末のうち自分が指定する移動通信端末に対して課金が行われるように設定する。
【００５３】
このように、本発明が属する技術分野における当業者は、本発明がその技術的思想や必須的特徴を変更することなく異なる具体的な形態で実施できるということが理解できるであろう。よって、上述した実施形態はあらゆる面において例示的なものであり、限定的ではないものと理解さるべきである。本発明の範囲は、前記詳細な説明よりは後述する特許請求の範囲によって開示され、特許請求の範囲の意味および範囲、ならびにその等価概念から導き出されるあらゆる変更または変形が本発明の範囲に含まれるものと解釈さるべきである。
【産業上の利用可能性】
【００５４】
以上述べたように、本発明のＣＰＮＳ環境における端末の履歴情報管理・活用システムおよび方法と、このためのＣＰＮＳサーバー、移動通信端末および終端端末は、ＣＰＮＳ環境において、移動通信端末と終端端末とが近距離無線通信網を介して接続されてＣＰＮＳサービスが提供されるときに発生する接続情報および関連情報を体系的に管理して移動通信端末および終端端末に提供することから、今後ＣＰＮＳサービスが提供されるために経るべき手順が一層簡単になる必要性が高いものに用いて好適である。
【図１】
0005292471.tif 000002
【図２】
0005292471.tif 000003
【図３】
0005292471.tif 000004
【図４】
0005292471.tif 000005
【図５】
0005292471.tif 000006
【図６】
0005292471.tif 000007
【図７】
0005292471.tif 000008
【図８】
0005292471.tif 000009